(57)【要約】【課題】  たとえばＩ字型カウンターの包装にもＬ字型カウンターの包装にも適用することのできるリユース可能な包装装置。【解決手段】  Ｌ字型カウンターの形態を有する物品を包装するためのリユース可能な包装装置。物品のうちの第１直線状部分を包装するための第１包装部（１）と、第１包装部とは別体に形成され、物品のうちの第１直線状部分を除く第２直線状部分を包装するための第２包装部（２）とを備えている。第１包装部および第２包装部は、物品の包装に際して第１包装部の一部と第２包装部の一部とを重ね合わせて一時的に連結するための連結部材（１３Ａａ，１３Ａｂ，１３Ｂａ，１３Ｂｂ，２１ａ〜２１ｃ）を有する。【選択図】  図１
2006036294.tif 000002
【特許請求の範囲】
【請求項１】
Ｌ字型カウンターの形態を有する物品を包装するためのリユース可能な包装装置であって、
前記物品のうちの第１直線状部分を包装するための第１包装部と、
前記第１包装部とは別体に形成され、前記物品のうちの前記第１直線状部分を除く第２直線状部分を包装するための第２包装部とを備え、
前記第１包装部および前記第２包装部は、前記物品の包装に際して前記第１包装部の一部と前記第２包装部の一部とを重ね合わせて一時的に連結するための連結部材を有することを特徴とする包装装置。
【請求項２】
前記第１包装部は、矩形状の底面シートと、該底面シートに連接されて所定の面剛性を有する第１〜第４側面シートと、前記第１側面シートに連接された可撓性の上面シートと、全体的に平面状に展開された状態から前記第１直線状部分を包装すべき立体的な形状を形成するために前記第１〜第４側面シートと前記上面シートとを局所的に仮留めするための第１仮留め部材とを備え、
前記第２包装部は、矩形状の底面シートと、該底面シートに連接されて所定の面剛性を有する第１〜第３側面シートと、前記第１側面シートに連接された可撓性の上面シートと、全体的に平面状に展開された状態から前記第２直線状部分を包装すべき立体的な形状を形成するために前記第１〜第３側面シートと前記上面シートとを局所的に仮留めするための第２仮留め部材とを備え、
前記第１包装部の前記第１側面シートに対向する前記第２側面シートには切込みが形成され、該切込みにより規定された前記第２側面シートの一部と前記第２包装部の前記底面シートの一部とが重ね合わせて一時的に連結されるように構成されていることを特徴とする請求項１に記載の包装装置。
【請求項３】
前記第１包装部の前記第２側面シートには、その長手方向に間隔を隔てて２つの切込みが形成されていることを特徴とする請求項２に記載の包装装置。
【請求項４】
前記第１包装部は、前記底面シート上に前記第１〜第４側面シートおよび前記上面シートを折り畳んだ後に前記底面シートを内側に向かって２つ折りに折り畳むことが可能に構成され、前記２つ折り状態を保持するための保持部材をさらに有することを特徴とする請求項２または３に記載の包装装置。
【請求項５】
前記保持部材は、前記２つ折り状態において互いに対向する前記第３側面シートと前記第４側面シートとを局所的に仮留めするための第３仮留め部材を有することを特徴とする請求項４に記載の包装装置。
【発明の詳細な説明】
【技術分野】
【０００１】
本発明は、包装装置に関し、たとえばシステムキッチンのＬ字型カウンターのような物品を包装するためのリユース可能な包装装置に関するものである。
【背景技術】
【０００２】
従来、たとえばシステムキッチンのシンク付き天板（カウンター）を現場等へ搬送する場合、発泡スチロールの緩衝ブロックを天板の要所にあてがい、段ボール製の外装材や粘着テープなどを用いて包装している。このため、現場で開梱した後、外装材や粘着テープが廃棄され、再度使用（リユース）されることはない。また、従来技術では、作業者が両手を用いて外装材や粘着テープなどを扱う必要があり、梱包作業が容易ではない。
【０００３】
そこで、本出願人は、たとえばシステムキッチンのシンク付き天板のような物品を包装するための包装装置であって、リユース可能で且つ梱包作業の容易な包装装置を提案している（たとえば特許文献１を参照）。
【特許文献１】特開２００２−３４７８８１号公報
【発明の開示】
【発明が解決しようとする課題】
【０００４】
システムキッチンでは、シンクと加熱調理部とを含んで直線状に延びるＩ字型カウンターが従来から良く知られているが、シンクを含んで直線状に延びる部分と加熱調理部を含んで直線状に延びる部分とからなるＬ字型カウンターも用いられている。従来技術にしたがうリユース可能な包装装置では、Ｉ字型カウンターの包装に適用することができるが、Ｌ字型カウンターの包装に適用することができない。
【０００５】
本発明は、前述の課題に鑑みてなされたものであり、たとえばＩ字型カウンターの包装にもＬ字型カウンターの包装にも適用することのできるリユース可能な包装装置を提供することを目的とする。
【課題を解決するための手段】
【０００６】
前記課題を解決するために、本発明では、Ｌ字型カウンターの形態を有する物品を包装するためのリユース可能な包装装置であって、
前記物品のうちの第１直線状部分を包装するための第１包装部と、
前記第１包装部とは別体に形成され、前記物品のうちの前記第１直線状部分を除く第２直線状部分を包装するための第２包装部とを備え、
前記第１包装部および前記第２包装部は、前記物品の包装に際して前記第１包装部の一部と前記第２包装部の一部とを重ね合わせて一時的に連結するための連結部材を有することを特徴とする包装装置を提供する。
【０００７】
本発明の好ましい態様によれば、前記第１包装部は、矩形状の底面シートと、該底面シートに連接されて所定の面剛性を有する第１〜第４側面シートと、前記第１側面シートに連接された可撓性の上面シートと、全体的に平面状に展開された状態から前記第１直線状部分を包装すべき立体的な形状を形成するために前記第１〜第４側面シートと前記上面シートとを局所的に仮留めするための第１仮留め部材とを備え、
前記第２包装部は、矩形状の底面シートと、該底面シートに連接されて所定の面剛性を有する第１〜第３側面シートと、前記第１側面シートに連接された可撓性の上面シートと、全体的に平面状に展開された状態から前記第２直線状部分を包装すべき立体的な形状を形成するために前記第１〜第３側面シートと前記上面シートとを局所的に仮留めするための第２仮留め部材とを備え、
前記第１包装部の前記第１側面シートに対向する前記第２側面シートには切込みが形成され、該切込みにより規定された前記第２側面シートの一部と前記第２包装部の前記底面シートの一部とが重ね合わせて一時的に連結されるように構成されている。
【０００８】
この場合、前記第１包装部の前記第２側面シートには、その長手方向に間隔を隔てて２つの切込みが形成されていることが好ましい。また、前記第１包装部は、前記底面シート上に前記第１〜第４側面シートおよび前記上面シートを折り畳んだ後に前記底面シートを内側に向かって２つ折りに折り畳むことが可能に構成され、前記２つ折り状態を保持するための保持部材をさらに有することが好ましい。またこの場合、前記保持部材は、前記２つ折り状態において互いに対向する前記第３側面シートと前記第４側面シートとを局所的に仮留めするための第３仮留め部材を有することが好ましい。
【発明の効果】
【０００９】
本発明の包装装置は、たとえばＬ字型カウンターのうち、シンクを含んで直線状に延びる第１直線状部分を包装するための第１包装部と、加熱調理部を含んで直線状に延びる第２直線状部分を包装するための第２包装部とを備えている。また、第１包装部と第２包装部とは別体に形成され、Ｌ字型カウンターの包装に際して第１包装部の一部と第２包装部の一部とが重ね合わされて一時的に連結される。
【００１０】
したがって、本発明の包装装置では、第１包装部だけを用いて、Ｉ字型カウンターの包装を行うことができる。また、第１包装部と第２包装部とを用いて、第１包装部の一部と第２包装部の一部とを重ね合わせて一時的に連結した状態で、Ｌ字型カウンターの包装を行うことができる。すなわち、本発明では、たとえばＩ字型カウンターの包装にもＬ字型カウンターの包装にも適用することのできるリユース可能な包装装置を実現することができる。
【００１１】
なお、本発明の包装装置における第１包装部は、矩形状の底面シートと、底面シートに連接されて所定の面剛性を有する第１〜第４側面シートと、第１側面シートに連接された可撓性の上面シートとにより構成され、全体的に平面状に展開された状態から例えばＬ字型カウンターの第１直線状部分を包装すべき立体的な形状を形成するために、第１〜第４側面シートと上面シートとを局所的に仮留めするための第１仮留め部材として、たとえばマジックテープ（登録商標）を備えていることが好ましい。
【００１２】
同様に、本発明の包装装置における第２包装部は、矩形状の底面シートと、底面シートに連接されて所定の面剛性を有する第１〜第３側面シートと、第１側面シートに連接された可撓性の上面シートとにより構成され、全体的に平面状に展開された状態から例えばＬ字型カウンターの第２直線状部分を包装すべき立体的な形状を形成するために、第１〜第３側面シートと上面シートとを局所的に仮留めするための第２仮留め部材として、たとえばマジックテープを備えていることが好ましい。
【００１３】
そして、第１包装部の第１側面シートに対向する第２側面シートには切込みが形成され、この切込みにより規定された第２側面シートの一部と第２包装部の底面シートの一部とが重ね合わせて一時的に連結されるように構成されていることが好ましい。こうして、比較的簡素な構成にしたがって、リユース可能で且つ梱包作業の容易な包装装置を実現することができる。
【００１４】
また、本発明において、第１包装部の第２側面シートには、その長手方向に間隔を隔てて２つの切込みが形成されていることが好ましい。この構成により、例えばシンクを含む第１直線状部分の右側に加熱調理部を含む第２直線状部分が設けられている右Ｌ字型カウンターの包装にも、シンクを含む第１直線状部分の左側に加熱調理部を含む第２直線状部分が設けられている左Ｌ字型カウンターの包装にも適用することが可能になる。
【００１５】
また、本発明の包装装置における第１包装部は、底面シート上に第１〜第４側面シートおよび上面シートを折り畳んだ後に、底面シートを内側に向かって２つ折りに折り畳むことが可能に構成され、この２つ折り状態を保持するための保持部材を備えていることが好ましい。この構成により、比較的大型になり易い第１包装部を開梱した後にコンパクトで且つ安定した形態で持ち帰ることができる。さらに、第１包装部の不使用時には、上述のコンパクトで且つ安定した形態で積み重ねて保管することもできる。
【００１６】
また、本発明では、第１包装部の２つ折り状態を保持するための保持部材は、２つ折り状態において互いに対向する第３側面シートと第４側面シートとを局所的に仮留めするための第３仮留め部材として、たとえばマジックテープを有することが好ましい。この構成により、比較的大型になり易い第１包装部の２つ折り状態を保持するための操作および２つ折り状態を解除するための操作を簡易な構成にしたがって容易に且つ確実に行うことができる。
【発明を実施するための最良の形態】
【００１７】
本発明の実施形態を、添付図面に基づいて説明する。
図１は、本発明の実施形態にかかる包装装置の構成を概略的に示す斜視図である。また、図２は、図１の第１包装部が平面状に展開された状態を示す図である。また、図３は、図１の第２包装部が平面状に展開された状態を示す図である。本実施形態では、一例として、システムキッチンのＬ字型カウンターの包装に本発明を適用している。
【００１８】
図１を参照すると、本実施形態の包装装置は、Ｌ字型カウンターのうち、シンクを含んで直線状に延びる細長い矩形状のカウンター主要部（第１直線状部分）を包装するための第１包装部１と、加熱調理部（ガスレンジなど）を含んで直線状に延びる矩形状のカウンター補助部（第２直線状部分）を包装するための第２包装部２とにより構成されている。なお、第１包装部１は、後述するように、たとえばシンクと加熱調理部とを含んで直線状に延びる細長い矩形状のＩ字型カウンターの包装にもそのまま適用される。
【００１９】
図２を参照すると、第１包装部１は、矩形状の底面シート１１と、底面シート１の４辺に連接されて所定の面剛性を有する矩形状の第１側面シート１２〜第４側面シート１５と、第１側面シート１２に連接された可撓性で矩形状の上面シート１６とを備えている。ここで、面剛性を有する第１側面シート１２〜第４側面シート１５は、たとえばＰＰ（ポリプロピレン）で形成されている。また、可撓性の上面シート１６は、たとえばＰＥ（ポリエチレン）で形成され且つ透明または半透明に形成されている。これにより、梱包作業の途中においてシンク付き天板の状態を確認しながら作業することができ、梱包後に外から中の説明書等を確認することができる。
【００２０】
なお、底面シート１１は、たとえばＰＰで形成されて面剛性を有するシートであってもよいし、たとえばＰＥで形成された可撓性のシートであってもよい。また、底面シート１１が上面シート１６と同様にＰＥで形成された可撓性のシートの場合、透明または半透明に形成されていてもよいし、非透明に形成されていてもよい。いずれにしても、底面シート１１、第１側面シート１２〜第４側面シート１５、および上面シート１６は、たとえばＰＰやＰＥのようなリユース可能な材料で形成されて平面状に展開可能である。
【００２１】
また、第１包装部１では、互いに対向する第１側面シート１２および第２側面シート１３の内側面（図２の紙面の表側）において、その右端にはマジックテープの一方の面（以下、「雄面」という）を構成するテープ面１２ａおよび１３ａがそれぞれ形成され、その左端にはマジックテープの他方の面（以下、「雌面」という）を構成するテープ面１２ｂおよび１３ｂがそれぞれ形成されている。また、互いに対向する第３側面シート１４および第４側面シート１５の外側面（図２の紙面の裏側）の両端には、マジックテープの雌面を構成するテープ面１４ａ，１４ｂ、およびマジックテープの雄面を構成するテープ面１５ａ，１５ｂがそれぞれ形成されている。後述するように、包装に際して、テープ面１２ａと１４ａと、１２ｂと１５ａと、１３ａと１４ｂと、１３ｂと１５ｂとがそれぞれ当接係合する。
【００２２】
さらに、第１包装部１では、上面シート１６の内側面の上端に、マジックテープの雌面を構成するテープ面１６ａ〜１６ｃが間隔を隔てて形成されている。また、上面シート１６の右端にはマジックテープの雄面を構成するテープ面１６ｄおよび１６ｅが間隔を隔てて形成され、上面シート１６の左端にはマジックテープの雌面を構成するテープ面１６ｆおよび１６ｇが間隔を隔てて形成されている。
【００２３】
一方、第２側面シート１３の外側面の下端には、テープ面１６ａ〜１６ｃに対応するように、マジックテープの雄面を構成するテープ面１３ｃ〜１３ｅが間隔を隔てて形成されている。ただし、３つのテープ面１３ｃ〜１３ｅのうち、両側のテープ面１３ｃおよび１３ｅは、対応するテープ面１６ａおよび１６ｃよりも中央に向かって長く延びている。後述するように、包装に際して、テープ面１６ａと１３ｃと、１６ｂと１３ｄと、１６ｃと１３ｅとがそれぞれ当接係合する。また、包装に際して、テープ面１６ｄと１４ｂと、１６ｅと１４ａと、１６ｆと１５ｂと、１６ｇと１５ａとがそれぞれ当接係合する。
【００２４】
また、第１包装部１では、上面シート１６の上端（側縁部）に、４つの環状部材１７ａ〜１７ｄが間隔を隔てて設けられている。また、上面シート１６、第１側面シート１２、底面シート１１および第２側面シート１３の外側面には、４つの環状部材１７ａ〜１７ｄの位置に対応するように、４つの帯状部材１８ａ〜１８ｄが鉛直方向に沿って設けられている。なお、第２側面シート１３から外側に突出している帯状部材１８ａ〜１８ｄの先端部の外側面には、マジックテープの雄面を構成するテープ面１８ａａ〜１８ｄａがそれぞれ形成されている。また、第２側面シート１３の領域において、帯状部材１８ａ〜１８ｄの本体部の外側面の所定位置には、マジックテープの雌面を構成するテープ面１８ａｂ〜１８ｄｂがそれぞれ形成されている。後述するように、包装に際して、テープ面１８ａａと１８ａｂと、１８ｂａと１８ｂｂと、１８ｃａと１８ｃｂと、１８ｄａと１８ｄｂとがそれぞれ当接係合する。
【００２５】
また、第１包装部１では、互いに対向する第３側面シート１４および第４側面シート１５の内側面の所定位置（テープ面１３ｅおよび１３ｃに対応する位置）に、マジックテープの雌面を構成するテープ面１４ｃおよび１５ｃがそれぞれ形成されている。後述するように、テープ面１４ｃおよび１５ｃは、包装に際して使用されることはないが、開梱後に包装装置を折り畳む際に、テープ面１４ｃと１３ｅと、１５ｃと１３ｃとがそれぞれ当接係合する。また、後述するように、開梱後に包装装置を折り畳む際に、テープ面１４ａと１５ａと、１４ｂと１５ｂとがそれぞれ当接係合する。
【００２６】
なお、第１包装部１では、第２側面シート１３の長手方向に間隔を隔てて２つの切込み１９ａおよび１９ｂが形成されている。ここで、切込み１９ａは帯状部材１８ｂに隣接して図中左側に形成され、切込み１９ａは帯状部材１８ｃに隣接して図中右側に形成されている。したがって、第２側面シート１３において、切込み１９ａよりも図中左側の部分は第１フラップ１３Ａを構成し、切込み１９ｂよりも図中右側の部分は第２フラップ１３Ｂを構成することになる。
【００２７】
そして、第１フラップ１３Ａの外側面には、底面シート１１との境界線に沿ってマジックテープの雄面を構成するテープ面１３Ａａと、切込み１９ａに沿ってマジックテープの雌面を構成するテープ面１３Ａｂとが形成されている。一方、第２フラップ１３Ｂの外側面には、底面シート１１との境界線に沿ってマジックテープの雄面を構成するテープ面１３Ｂａと、切込み１９ｂに沿ってマジックテープの雌面を構成するテープ面１３Ｂｂとが形成されている。
【００２８】
図３を参照すると、第２包装部２は、矩形状の底面シート２１と、底面シート２１の３辺に連接されて所定の面剛性を有する矩形状の第１側面シート２２〜第３側面シート２４と、第１側面シート２２に連接された可撓性で矩形状の上面シート２５とを備えている。ここで、面剛性を有する第１側面シート２２〜第３側面シート２４は、たとえばＰＰ（ポリプロピレン）で形成されている。また、可撓性の上面シート２５は、たとえばＰＥ（ポリエチレン）で形成され且つ透明または半透明に形成されている。
【００２９】
なお、底面シート２１は、たとえばＰＰで形成されて面剛性を有するシートであってもよいし、たとえばＰＥで形成された可撓性のシートであってもよい。また、底面シート２１が上面シート２５と同様にＰＥで形成された可撓性のシートの場合、透明または半透明に形成されていてもよいし、非透明に形成されていてもよい。いずれにしても、底面シート２１、第１側面シート２２〜第３側面シート２４、および上面シート２５は、たとえばＰＰやＰＥのようなリユース可能な材料で形成されて平面状に展開可能である。
【００３０】
また、第２包装部２では、互いに対向する第１側面シート２２および第２側面シート２３の内側面（図３の紙面の表側）において、その右端にはマジックテープの雌面を構成するテープ面２２ａおよびマジックテープの雄面を構成するテープ面２３ａがそれぞれ形成され、その左端にはマジックテープの雌面を構成するテープ面２２ｂおよび２３ｂがそれぞれ形成されている。また、第３側面シート２４の外側面（図３の紙面の裏側）の両端には、マジックテープの雄面を構成するテープ面２４ａおよび２４ｂが形成されている。後述するように、包装に際して、テープ面２２ｂと２４ａと、２３ｂと２４ｂとがそれぞれ当接係合する。また、後述するように、包装に際して、テープ面２２ａが第１包装部１の第４側面シート１５のテープ面１５ｂと当接係合するか、あるいはテープ面２３ａが第１包装部１の第３側面シート１４のテープ面１４ｂと当接係合する
【００３１】
さらに、第２包装部２では、上面シート２５の内側面の上端中央に、マジックテープの雌面を構成するテープ面２５ａが形成されている。また、上面シート２５の左端にはマジックテープの雌面を構成するテープ面２５ｂおよび２５ｃが間隔を隔てて形成されている。一方、第２側面シート２３の外側面の下端には、テープ面２５ａに対応するように、マジックテープの雄面を構成するテープ面２３ｃが形成されている。後述するように、包装に際して、テープ面２５ａと２３ｃと、２５ｂと２４ｂと、２５ｃと２４ａとがそれぞれ当接係合する。
【００３２】
また、第２包装部２では、上面シート２５の上端（側縁部）に、２つの環状部材２６ａおよび２６ｂが間隔を隔てて設けられている。また、上面シート２５、第１側面シート２２、底面シート２１および第２側面シート２３の外側面には、２つの環状部材２６ａおよび２６ｂの位置に対応するように、２つの帯状部材２７ａおよび２７ｂが鉛直方向に沿って設けられている。なお、第２側面シート２３から外側に突出している帯状部材２７ａおよび２７ｂの先端部の外側面には、マジックテープの雄面を構成するテープ面２７ａａおよび２７ｂａがそれぞれ形成されている。また、第２側面シート２３の領域において、帯状部材２７ａおよび２７ｂの本体部の外側面の所定位置には、マジックテープの雌面を構成するテープ面２７ａｂおよび２７ｂｂがそれぞれ形成されている。後述するように、包装に際して、テープ面２７ａａと２７ａｂと、２７ｂａと２７ｂｂとがそれぞれ当接係合する。
【００３３】
また、第２包装部２では、底面シート２１の内側面において、図中右側の境界線に沿ってマジックテープの雌面を構成するテープ面２１ａが形成され、第１側面シート２２との境界線に沿ってマジックテープの雄面を構成するテープ面２１ｂが形成され、第２側面シート２３との境界線に沿ってマジックテープの雄面を構成するテープ面２１ｃが形成されている。後述するように、包装に際して、テープ面２１ａは、第１包装部１の第１フラップ１３Ａのテープ面１３Ａａと、あるいは第１包装部１の第２フラップ１３Ｂのテープ面１３Ｂａと当接係合する。また、後述するように、包装に際して、テープ面２１ｂおよび２１ｃは、第１フラップ１３Ａのテープ面１８ａｂおよび１３Ａｂと、あるいは第２フラップ１３Ｂのテープ面１３Ｂｂおよび１８ｄａと当接係合する。
【００３４】
以下、説明を簡単にするために、シンクを含む細長い矩形状のカウンター主要部（第１直線状部分）の右側に加熱調理部を含む矩形状のカウンター補助部（第２直線状部分）が設けられている右Ｌ字型カウンターの包装に対して本実施形態の包装装置を適用した場合について詳細に説明する。この場合、第１包装部１の第２フラップ１３Ｂのテープ面１３Ｂａと第２包装部２の底面シート２１のテープ面２１ａとを当接係合させるとともに、第２フラップ１３Ｂのテープ面１３Ｂｂおよび１８ｄｂと底面シート２１のテープ面２１ｂおよび２１ｃとをそれぞれ当接係合させることにより、第１包装部１の一部である第２フラップ１３Ｂのほぼ全体と第２包装部２の一部である底面シート２１の一部とを重ね合わせて一時的に連結する。
【００３５】
そして、第１包装部１の一部と第２包装部２の一部とを重ね合わせて一時的に連結した状態で、第１包装部１の底面シート１１および第２包装部２の底面シート２１の上に右Ｌ字型カウンターを載置する。このとき、右Ｌ字型カウンターの載置に先だって、図４に示すように、サポートクッション４１、サイドクッション４２、コーナーサポートクッション４３のような様々な緩衝部材を配置する。また、右Ｌ字型カウンターの載置後に、図５に示すように、エアパッキン４４、トップクッション４５、コーナートップクッション４６のような様々な緩衝部材を右Ｌ字型カウンターの要所にあてがう。ここで、各クッションを、例えば発泡スチロールで形成することができる。
【００３６】
次いで、第１包装部１では、カウンター主要部の側面を包囲するように、第３側面シート１４および第４側面シート１５を底面シート１１との境界線を折り目としてほぼ垂直に立ち上げた後に、第１側面シート１２および第２側面シート１３（第２フラップ１３Ｂを除く）を底面シート１１との境界線を折り目としてほぼ垂直に立ち上げる。このとき、第１側面シート１２には上面シート１６が連接しているが、上面シート１６が可撓性であるため第１側面シート１２の立ち上げを容易に行うことができる。なお、第３側面シート１４および第４側面シート１５を立ち上げた状態で、テープ面１４ｃおよび１５ｃを含む矩形状の領域を図２中の破線１９ｃおよび１９ｄを折り目として内側へそれぞれ折り曲げる。
【００３７】
こうして、第１側面シート１２〜第４側面シート１５を立ち上げた状態で、第１側面シート１２のテープ面１２ａの近傍で折り曲げてテープ面１２ａと第３側面シート１４のテープ面１４ａとを当接係合させる。同様に、第１側面シート１２のテープ面１２ｂの近傍で折り曲げてテープ面１２ｂと第４側面シート１５のテープ面１５ａとを当接係合させ、第２側面シート１３（第２フラップ１３Ｂを除く）のテープ面１３ｂの近傍で折り曲げてテープ面１３ｂと第４側面シート１５のテープ面１５ｂとを当接係合させる。
【００３８】
さらに、カウンター主要部の上面を可撓性の上面シート１６で覆った状態において、上面シート１６のテープ面１６ａおよび１６ｂが第２側面シート１３（第２フラップ１３Ｂを除く）を覆うように折り曲げてテープ面１６ａおよび１６ｂと第２側面シート１３（第２フラップ１３Ｂを除く）のテープ面１３ｃおよび１３ｄとをそれぞれ当接係合させる。また、上面シート１６のテープ面１６ｄと第３側面シート１４のテープ面１４ｂとを当接係合させ、上面シート１６のテープ面１６ｅと第３側面シート１４のテープ面１４ａとを当接係合させる。同様に、上面シート１６のテープ面１６ｆと第４側面シート１５のテープ面１５ｂとを当接係合させ、上面シート１６のテープ面１６ｇと第４側面シート１５のテープ面１５ａとを当接係合させる。
【００３９】
一方、第２包装部２では、カウンター補助部の側面を包囲するように、第３側面シート２４を底面シート２１との境界線を折り目としてほぼ垂直に立ち上げた後に、第１側面シート２２および第２側面シート２３を底面シート２１との境界線を折り目としてほぼ垂直に立ち上げる。このとき、第１側面シート２２には上面シート２５が連接しているが、上面シート２５が可撓性であるため第１側面シート２２の立ち上げを容易に行うことができる。なお、第３側面シート２４を立ち上げた状態で、テープ面２４ａおよび２４ｂを含まない矩形状の領域を図３中の破線２８を折り目として内側へ折り曲げる。
【００４０】
こうして、第１側面シート２２〜第３側面シート２４を立ち上げた状態で、第２側面シート２３のテープ面２３ａの近傍で折り曲げてテープ面２３ａと第１包装部１の第３側面シート１４のテープ面１４ｂとを当接係合させる。同様に、第１側面シート２２のテープ面２２ｂの近傍で折り曲げてテープ面２２ｂと第３側面シート２４のテープ面２４ａとを当接係合させ、第２側面シート２３のテープ面２３ｂの近傍で折り曲げてテープ面２３ｂと第３側面シート２４のテープ面２４ｂとを当接係合させる。
【００４１】
さらに、カウンター補助部の上面を可撓性の上面シート２５で覆った状態において、上面シート２５のテープ面２５ａが第２側面シート２３を覆うように折り曲げてテープ面２５ａと第２側面シート２３のテープ面２３ｃとを当接係合させる。また、上面シート２５のテープ面２５ｂと第３側面シート２４のテープ面２４ｂとを当接係合させ、上面シート２５のテープ面２５ｃと第３側面シート２４のテープ面２４ａとを当接係合させる。
【００４２】
最後に、第１包装部１において帯状部材１８ａ〜１８ｃの先端部が環状部材１７ａ〜１７ｃを貫通するように導いた後に、帯状部材１８ａ〜１８ｃの先端部をその本体部の方へ折り返して、先端部のテープ面１８ａａ〜１８ｃａと本体部のテープ面１８ａｂ〜１８ｃｂとをそれぞれ当接係合させる。また、第２包装部２において帯状部材２７ａおよび２７ｂの先端部が環状部材２６ａおよび２６ｂを貫通するように導いた後に、帯状部材２７ａおよび２７ｂの先端部をその本体部の方へ折り返して、先端部のテープ面２７ａａおよび２７ｂａと本体部のテープ面２７ａｂおよび２７ｂｂとをそれぞれ当接係合させる。
【００４３】
こうして、本実施形態では、リユース可能な包装装置（１，２）を用いて、右Ｌ字型カウンターの梱包作業を容易に行うことができる。なお、右Ｌ字型カウンターは、その梱包作業の終了時には図６に示すような姿勢にあるが、図７に示すような姿勢で保管される。同様に、シンクを含む細長い矩形状のカウンター主要部（第１直線状部分）の左側に加熱調理部を含む矩形状のカウンター補助部（第２直線状部分）が設けられている左Ｌ字型カウンターの包装に対しても本実施形態の包装装置（１，２）を適用することができる。
【００４４】
ただし、左Ｌ字型カウンターの包装の場合には、第１包装部１の第１フラップ１３Ａのテープ面１３Ａａと第２包装部２の底面シート２１のテープ面２１ａとを当接係合させるとともに、第１フラップ１３Ａのテープ面１３Ａｂおよび１８ａｂと底面シート２１のテープ面２１ｂおよび２１ｃとをそれぞれ当接係合させることにより、第１包装部１の一部である第１フラップ１３Ａのほぼ全体と第２包装部２の一部である底面シート２１の一部とを重ね合わせて一時的に連結する。以降の手順は、右Ｌ字型カウンターの場合と同様である。
【００４５】
同様に、シンクと加熱調理部とを含んで直線状に延びる細長い矩形状のＩ字型カウンターの包装に対しても本実施形態の包装装置（１，２）のうちの第１包装部１を適用することができる。この場合、第２側面シート１３において、一対の切込み１９ａおよび１９ｂがあたかも存在しないかのように、第１フラップ１３Ａと第２フラップ１３Ｂとを同じように垂直に立ち上げて、上述した第１フラップ１３Ａに関する包装手順を第２フラップ１３Ｂに対しても同様に行うことになる。
【００４６】
図８は、第１包装部を開梱後に折り畳む途中の中間状態を示す図である。また、図９は、第１包装部を２つ折りに折り畳む様子を示す図である。さらに、図１０は、第１包装部を２つ折りに折り畳んだ最終状態を示す図である。上述の梱包作業を逆の順序で行うことにより本実施形態の包装装置（１，２）を開梱し、さらにＬ字型カウンターを包装装置（１，２）から取り出し、第１包装部１と第２包装部２との連結を解除すると、図２に示すように平面状に展開された状態の第１包装部１と、図３に示すように平面状に展開された状態の第２包装部２とが得られる。
【００４７】
ここで、比較的大型になり易い第１包装部１を折り畳む場合、底面シート１１との境界線を折り目として第１側面シート１２を底面シート１１の上に折り畳んだ後に、第１側面シート１２との境界線を折り目として上面シート１６を底面シート１１の上に折り畳む。このとき、上面シート１６が底面シート１１からはみ出すことがないように、必要に応じて上面シート１６を２つ折りまたは３つ折りに折り畳む。
【００４８】
次いで、底面シート１１との境界線を折り目として、第２側面シート１３を上面シート１６の上に折り畳む。さらに、底面シート１１との境界線を折り目として第３側面シート１４を第２側面シート１３の上に折り畳むとともに、底面シート１１との境界線を折り目として第４側面シート１５を第２側面シート１３の上に折り畳む。このとき、第３側面シート１４のテープ面１４ｃと第２側面シート１３のテープ面１３ｅとを当接係合させ、第４側面シート１５のテープ面１５ｃと第２側面シート３のテープ面１３ｃとを当接係合させる。こうして、上面シート１６、第１側面シート１２および第２側面シート１３がはみ出すことなく内側に折り畳まれ、図８に示すような安定的な形態の中間状態が得られる。
【００４９】
次いで、図８に示す中間状態から、図２中の破線１９ｅを折り目として底面シート１１を内側に向かって２つ折りに折り畳むことにより、図９に示す状態を経て、図１０に示すように最終的な２つ折り状態が得られる。このとき、第３側面シート１４のテープ面１４ａと第４側面シート１５のテープ面１５ａとを当接係合させ、第３側面シート１４のテープ面１４ｂと第４側面シート１５のテープ面１５ｂとを当接係合させる。こうして、図１０に示すように、本実施形態の第１包装部１をコンパクトで且つ安定した形態に折り畳むことができる。
【００５０】
以上のように、本実施形態のリユース可能な包装装置（１，２）では、第１包装部１と第２包装部２とを用いて、第１包装部１の一部と第２包装部２の一部とを重ね合わせて一時的に連結した状態で、比較的簡単な梱包作業手順にしたがってＬ字型カウンターの包装を容易に行うことができる。また、第１包装部１だけを用いて、比較的簡単な梱包作業手順にしたがってＩ字型カウンターの包装を容易に行うことができる。すなわち、本実施形態では、比較的簡素な構成にしたがって、リユース可能で且つ梱包作業の容易な包装装置（１，２）を実現することができ、たとえばＩ字型カウンターの包装にもＬ字型カウンターの包装にも適用することができる。また、Ｉ字型カウンターとＬ字型カウンターとに適用できるし、Ｌ字型の左右に適用できるので、複数のタイプを用意する必要がなく、コスト、在庫スペース等を大幅に削減することが可能である。
【００５１】
また、本実施形態の第１包装部１では、底面シート１１上に第１側面シート１２〜第４側面シート１５および上面シート１６を折り畳んだ後に、底面シート１１を内側に向かって２つ折りに折り畳むことが可能に構成され、この２つ折り状態を保持するための保持部材（１４ｃ，１５ｃ，１３ｃ，１３ｅ；１４ａ，１４ｂ，１５ａ，１５ｂ）を備えている。こうして、第１包装部１では、底面シート１１上に第１側面シート１２〜第４側面シート１５および上面シート１６を折り畳んだ後に底面シート１１を内側に向かって２つ折りに畳んだ状態を保持することにより、開梱した後にコンパクトで且つ安定した形態で持ち帰ることができる。このとき、図８〜図１０に示すように、たとえば環状の把持部材５４ａおよび５４ｂを底面シート１１の第３側面シート１４側に設け、環状の把持部材５５ａおよび５５ｂを底面シート１１の第４側面シート１５側に設けることにより、比較的大型になり易い第１包装部１の持ち運びを容易に行うことができる。さらに、不使用時には、上述のコンパクトで且つ安定した形態で第１包装部１を積み重ねて保管することもできる。
【００５２】
また、本実施形態の第１包装部１では、２つ折り状態を保持するための保持部材は、２つ折り状態において互いに対向する第３側面シート１４と第４側面シート１５とを局所的に仮留めするための仮留め部材としてマジックテープ（１４ａ，１４ｂ，１５ａ，１５ｂ）を用いている。その結果、２つ折り状態を保持するための操作および２つ折り状態を解除するための操作を簡易な構成にしたがって容易に且つ確実に行うことができる。
【００５３】
また、本実施形態の第１包装部１では、底面シート１１上に第１側面シート１２および上面シート１６を折り畳み、上面シート１６の上に第２側面シート１３を折り畳み、第２側面シート１３の上に第３側面シート１４および第４側面シート１５を折り畳んだ状態において、第３側面シート１４および第４側面シート１５を第２側面シート１３上に局所的に仮留めするための仮留め部材としてマジックテープ（１４ｃ，１５ｃ，１３ｃ，１３ｅ）を用いている。その結果、２つ折り状態を実現するための第１工程である操作、すなわち底面シート１１上に第１側面シート１２〜第４側面シート１５および上面シート１６を折り畳む操作を簡易な構成にしたがって容易に且つ確実に行うことができる。
【００５４】
さらに、本実施形態の第１包装部１では、上面シート１６の側縁部に設けられた環状部材１７ａ〜１７ｄと、第２側面シート１３の側縁部に設けられた（実際には上面シート１６、第１側面シート１２、底面シート１１および第２側面シート１３の外側面に設けられた）帯状部材１８ａ〜１８ｄとを備え、帯状部材１８ａ〜１８ｄの先端部１８ａａ〜１８ｄａは、包装状態において環状部材１７ａ〜１７ｄを貫通した後に帯状部材の本体部１８ａｂ〜１８ｄｂにマジックテープの作用により仮留め可能に構成されている。その結果、Ｌ字型カウンターまたはＩ字型カウンターを包装するための最終操作を簡易な構成にしたがって容易に且つ確実に行うことができる。
【００５５】
また、本実施形態の第２包装部２を折り畳む場合、底面シート２１との境界線を折り目として第１側面シート２２を底面シート２１の上に折り畳んだ後に、第１側面シート２２との境界線を折り目として上面シート２５を底面シート２１の上に折り畳む。このとき、上面シート２５が底面シート２１からはみ出すことがないように、必要に応じて上面シート２５を２つ折りまたは３つ折りに折り畳む。次いで、底面シート２１との境界線を折り目として、第２側面シート２３を上面シート２５の上に折り畳む。さらに、底面シート２１との境界線を折り目として第３側面シート２４を第２側面シート２３の上に折り畳む。このとき、第３側面シート２４のテープ面（不図示）と第２側面シート２３のテープ面２３ｃとを当接係合させる。さらに、第１側面シート２２においてテープ面２２ａが形成された端部および第２側面シート２３においてテープ面２３ａが形成された端部を外側へ折り曲げる。こうして、第２包装部２もコンパクトで且つ安定した形態に折り畳まれる。
【００５６】
なお、上述の実施形態では、システムキッチンのＬ字型カウンターの包装に本発明を適用しているが、これに限定されることなく、Ｌ字型カウンターの形態を有する物品の包装に本発明を適用することができる。
【図面の簡単な説明】
【００５７】
【図１】本発明の実施形態にかかる包装装置の構成を概略的に示す斜視図である。
【図２】図１の第１包装部が平面状に展開された状態を示す図である。
【図３】図１の第２包装部が平面状に展開された状態を示す図である。
【図４】Ｌ字型カウンターの載置に先立って様々な緩衝部材を配置した状態を概略的に示す図である。
【図５】Ｌ字型カウンターの載置後に様々な緩衝部材をあてがった状態を概略的に示す図である。
【図６】Ｌ字型カウンターの梱包作業の終了時における姿勢を概略的に示す図である。
【図７】梱包されたＬ字型カウンターの保管時における姿勢を概略的に示す図である。
【図８】第１包装部を開梱後に折り畳む途中の中間状態を示す図である。
【図９】第１包装部を２つ折りに折り畳む様子を示す図である。
【図１０】第１包装部を２つ折りに折り畳んだ最終状態を示す図である。
【符号の説明】
【００５８】
１  第１包装部
２  第２包装部
１１，２１  底面シート
１２，２２  第１側面シート
１３，２３  第２側面シート
１４，２４  第３側面シート
１５  第４側面シート
１６，２５  上面シート
１７，２６  環状部材
１８，２７  帯状部材
５４，５５  把持部材
【図１】
2006036294.tif 000003
【図２】
2006036294.tif 000004
【図３】
2006036294.tif 000005
【図４】
2006036294.tif 000006
【図５】
2006036294.tif 000007
【図６】
2006036294.tif 000008
【図７】
2006036294.tif 000009
【図８】
2006036294.tif 000010
【図９】
2006036294.tif 000011
【図１０】
2006036294.tif 000012